(57)【特許請求の範囲】
【請求項１】
ディスク状の情報記録媒体を収納したカートリッジケースの表，裏面に設けた記録及び／又は再生用の開口部を開閉するシャッタと、
前記シャッタを前記カートリッジケースにスライド可能に取付けたスライド部材とを備え、
前記シャッタは、前記カートリッジケースの表，裏面の一方の面に設けた記録及び／又は再生用の開口部を開閉する第１のシャッタ板と、他方の面に設けた記録及び／又は再生用の開口部を開閉する第２のシャッタ板とに分割され、
前記スライド部材は、前記第１のシャッタ板を取付ける第１のスライド部と、前記第２のシャッタ板を取付ける第２のスライド部に分割されていて、
前記第１，第２のスライド部により前記第１，第２のシャッタ板をそれぞれ独立にスライドさせる情報記録媒体カートリッジであって、
前記情報記録媒体カートリッジは、第１の記録及び／又は再生装置に挿入すると該第１の記録及び／又は再生装置に設けたシャッタ開放部材が係合して、該シャッタ開放部材により押圧されて前記第１，第２のシャッタ板を前記開口部を開放する方向にスライドさせるシャッタ開放部材係合部と、
第２の記録及び／又は再生装置に挿入すると該第２の記録及び／又は再生装置に設けた第１，第２のシャッタ開放部材が係合して、該シャッタ開放部材によりカートリッジの更なる挿入を阻止する第１，第２の誤挿入阻止部と、を備え、
前記第１，第２の誤挿入阻止部は、前記カートリッジケースの前端部に幅方向の中央を中心にして対称位置に設けられていて、前記第１の誤挿入阻止部には前記第２の記録及び／又は再生装置に設けた第１のシャッタ開放部材が係合し、前記第２の誤挿入阻止部には前記第２のシャッタ開放部材が係合して、該シャッタ開放部材によりカートリッジの更なる挿入を阻止することを特徴とする情報記録媒体カートリッジ。
【請求項２】
請求項１に記載の情報記録媒体カートリッジにおいて、
前記シャッタ開放部材係合部は、前記第１，第２のスライド部の中央部に設けられていることを特徴とする情報記録媒体カートリッジ。
【請求項３】
請求項１に記載の情報記録媒体カートリッジにおいて、
前記第１，第２の誤挿入阻止部は、前記カートリッジケースの前端部に幅方向の中央を中心にして点対称位置に設けられていることを特徴とする情報記録媒体カートリッジ。
【発明の詳細な説明】
【０００１】
【発明の属する技術分野】
本発明は、磁気ディスクや光ディスク或は光磁気ディスクや相変化型光デイスク等の情報記録媒体を収納した情報記録媒体カートリッジに関するものである。
【０００２】
【従来の技術】
情報記録媒体カートリッジとして、例えば図２８に示したものが知られている。
【０００３】
前記情報記録媒体カートリッジ（以下、単にカートリッジという）１０１は、表，裏両面に記録層を設けた光ディスクや光磁気ディスク等の情報記録媒体（以下、ディスクという）１０２と、該ディスク１０２を回転可能に収納したカートリッジケース（以下、シェルという）１０３と、該シェル１０３にスライド可能に取付けられていて、該シェル１０３の表，裏面に設けた記録及び／又は再生用の開口部（以下、単に開口部という）１０４を開閉するシャッタ１０５とを備えている。
【０００４】
前記シャッタ１０５は、前記シェル１０３の表面側の開口部１０４を開閉する第１のシャッタ板１０６と、前記シェル１０３の裏面側の開口部１０４を開閉する第２のシャッタ板１０７とを備えている。前記シャッタ１０５は、金属板を折り曲げることにより略コ字状に一体的に形成されていて、前記シェル１０３の表，裏面の開口部１０４を同時に開閉する。（以下、前記一体型のシャッタを使用したカートリッジをシャッタ一体型カートリッジという）。
【０００５】
前記シャッタ一体型カートリッジ１０１は、シャッタ一体型カートリッジ用の記録及び／又は再生装置（以下、第１のドライブ装置という）に装着されると、該第１のドライブ装置のシャッタ開放部材でシャッタ１０５がスライド操作され、前記シェル１０３の表，裏両面の開口部１０４が同時に開放されるようになっている。
【０００６】
そして、図２９に示したように、前記シャッタ一体型カートリッジ１０１は、前記ディスク１０２がシェル１０３の裏面側の開口部１０４を介して、ドライブ装置のターンテーブル３０４にチャッキングされて回転駆動されると共に、前記裏面側の開口部１０４を介して光学ピックアップ３０５により、前記ディスク１０２への記録及び／又は再生が行われるようになっている。
【０００７】
ところで、前記従来のシャッタ一体型カートリッジ１０１は、ディスク１０２の表面側を使用する場合と、ディスク１０２の裏面側を使用する場合と、ではシャッタ１０５を逆方向に移動させなければならないために、図３０、図３１に示したように、第１のドライブ装置３０１に、シャッタ１０５を一方向（Ａ方向）に移動させる第１のシャッタ開放部材３０２と、シャッタ１０５を他方向（Ｂ方向）に移動させる第２のシャッタ開放部材３０３の２つシャッタ開放部材を設ける必要がある。また、前記シャッタ１０５を開くと、記録及び／又は再生に直接関係しない場合においても前記シェル１０３の表面側の開口部１０４も開かれて、該表面側の開口部１０４からシェル１０３内に侵入した塵埃等がディスク１０２の上面に付着、堆積するという不具合があった。前記塵埃等の付着は高密度記録の大容量のディスクにとって見逃すことのできない悪影響を及ぼす。
【０００８】
前記不具合を解消するものとして、図３２，図３３に示した分割シャッタを使用したカートリッジ２０１（以下、シャッタ分割型カートリッジという）が開発された。
【０００９】
前記シャッタ分割型カートリッジ２０１は、ディスク２０２と、該ディスク２０２を回転可能に収納したシェル２０３と、該シェル２０３にスライド可能に取付けられていて、該シェル２０３の表，裏面に設けた記録及び／又は再生用の開口部２０４を開閉するシャッタ２０５とを備えている。
【００１０】
前記シャッタ２０５は、シェル２０３の表面側（上ハーフ２０３ａ側）の開口部２０４を開閉する第１のシャッタ板２０６と、前記シェル２０３の裏面側（下ハーフ２０３ｂ側）の開口部２０４を開閉する第２のシャッタ板２０７とを備えている。前記第１，第２のシャッタ板２０６，２０７は、単独でスライドして、前記開口部２０４を独自に開閉するようになっている。
【００１１】
前記第１，第２のシャッタ板２０６，２０７には、図３４に示したように、シャッタ分割型カートリッジ用の記録及び／又は再生装置（以下、第２のドライブ装置という）４０１のシャッタ開放部材４０２のシャッタ係合ピン４０３が係合するシャッタ開放部材係合部２０８が設けられている。
【００１２】
前記シャッタ分割型カートリッジ２０１は、図３４に示すように、前記第２のドライブ装置４０１の所定の位置まで挿入されると、第２のドライブ装置４０１のシャッタ開放部材４０２のシャッタ係合ピン４０３が前記シャッタ開放部材係合部２０８に係合する。
【００１３】
前記シャッタ分割型カートリッジ２０１が更に第２のドライブ装置４０１に挿入されると、前記シャッタ開放部材４０２が矢印Ａ方向に回動して、図３５に示すように、前記第２のシャッタ板２０７がスライド操作されて、前記シェル２０３の裏面側の開口部２０４のみが開放される。
【００１４】
【発明が解決しようとする課題】
ところで、前記従来のシャッタ一体型カートリッジ１０１のディスク１０２とシャッタ分割型カートリッジ２０１のディスク２０２の記録及び／又は再生方式が異なる場合で、かつ、シャッタ一体型カートリッジ１０１のカートリッジケースとシャッタ分割型カートリッジ２０１のカートリッジケースが略同じ大きさや略同じ形状に作られているような場合に、シャッタ分割型カートリッジ２０１を誤って前記第１のドライブ装置３０１、即ち、シャッタ一体型カートリッジ用の記録及び／又は再生装置に挿入してしまうことがある。
【００１５】
前記シャッタ分割型カートリッジ２０１が誤って前記第１のドライブ装置３０１に挿入されると、記録及び／又は再生方式が異なることから、前記シャッタ分割型カートリッジ２０１のディスク２０２が前記第１のドライブ装置３０１によりダメージを受けてしまう恐れがある。
【００１６】
本発明は、前記シャッタ分割型カートリッジ２０１を前記第１のドライブ装置３０１に完全に挿入することを不可能にして前記従来の問題点を解決することができるようにした。
【００１７】
本発明は、ディスク状の情報記録媒体を収納したカートリッジケースの表，裏面に設けた記録及び／又は再生用の開口部を開閉するシャッタと、前記シャッタを前記カートリッジケースにスライド可能に取付けたスライド部材とを備え、前記シャッタは、前記カートリッジケースの表，裏面の一方の面に設けた記録及び／又は再生用の開口部を開閉する第１のシャッタ板と、他方の面に設けた記録及び／又は再生用の開口部を開閉する第２のシャッタ板とに分割され、前記スライド部材は、前記第１のシャッタ板を取付ける第１のスライド部と、前記第２のシャッタ板を取付ける第２のスライド部に分割されていて、前記第１，第２のスライド部により前記第１，第２のシャッタ板をそれぞれ独立にスライドさせる情報記録媒体カートリッジであって、
前記情報記録媒体カートリッジは、第１の記録及び／又は再生装置に挿入すると該第１の記録及び／又は再生装置に設けたシャッタ開放部材が係合して、該シャッタ開放部材により押圧されて前記第１，第２のシャッタ板を前記開口部を開放する方向にスライドさせるシャッタ開放部材係合部と、第２の記録及び／又は再生装置に挿入すると該第２の記録及び／又は再生装置に設けた第１，第２のシャッタ開放部材が係合して、該シャッタ開放部材によりカートリッジの更なる挿入を阻止する第１，第２の誤挿入阻止部と、を備え、前記第１，第２の誤挿入阻止部は、前記カートリッジケースの前端部に幅方向の中央を中心にして対称位置に設けられていて、
前記情報記録媒体カートリッジを前記第２の記録及び／又は再生装置に挿入したときに、前記第１の誤挿入阻止部には前記第２の記録及び／又は再生装置に設けた第１のシャッタ開放部材が係合し、前記第２の誤挿入阻止部には前記第２のシャッタ開放部材が係合して、該シャッタ開放部材によりカートリッジの更なる挿入を阻止する。
【００１８】
【発明の実施の形態】
次に、本発明の情報記録媒体カートリッジを（１）全体の概略構成、（２）ディスクの構成、（３）シェルの構成、（４）シャッタの構成、（５）スライド部材の構成、（６）ガイド機構の構成、（７）作用、の各項に分けて説明する。
【００１９】
（１）情報記録媒体カートリッジ全体の概略構成
図１は所謂シャッタを閉じた状態の情報記録媒体カートリッジ（以下、カートリッジという）１を表面側から見た斜視図、図２は同裏面側から見た斜視図、図３は裏面側のシャッタを開いた状態の斜視図、図４は同裏面側から見た斜視図である。前記カートリッジ１は、表，裏両面に記録及び／又は再生可能な所謂両面使用のカートリッジとして構成されている。
【００２０】
前記カートリッジ１は、ディスク状の情報記録媒体（以下、ディスクという）２と、該ディスク２を回転可能に収納したカートリッジケース（以下、シェルという）３と、該シェル３の表，裏両面に設けられた記録及び／又は再生用の開口部（以下、開口部という）３１と、該開口部３１を開閉するシャッタ４と、該シャッタ４を取付けたスライド部材７と、該スライド部材７を前記シェル３にスライド可能に取付けているガイド機構８（図１２参照）とを備えている。
【００２１】
前記シャッタ４は、前記シェル３の表面側（後に説明する上ハーフ３２側）に設けた開口部３１を開閉する第１のシャッタ板４１と、前記シェル３の裏面側（後に説明する下ハーフ３３側）に設けた開口部３１を開閉する第２のシャッタ板４２とを備えている。
【００２２】
前記第１，第２のシャッタ板４１，４２は、図１，図２に示す前記開口部３１を閉塞する第１の位置と、図３，図４に示す開口部３１を開放する位置との間をそれぞれ独立にスライドするようになっている。
【００２３】
前記シャッタ４を構成する第１，第２のシャッタ板４１，４２は、前記シェル３の表，裏面に設けた開口部３１よりもやや大き目の前記開口部３１を完全に閉塞するのに必要な大きさに形成されている。前記第１，第２のシャッタ板４１，４２には、同一部材が使用されている。
【００２４】
前記第１のシャッタ板４１は、前記開口部３１を閉塞する第１の位置から矢印Ａ方向にスライドして前記開口部３１を開放する第２の位置にスライドするようになっている。また、前記第２のシャッタ板４２は、前記矢印Ａ方向とは逆の矢印Ｂ方向にスライドして前記開口部３１を閉塞する第１の位置から前記開口部４を開放する第２の位置にスライドするようになっている。
【００２５】
前記シェル３の表，裏面には、前記開口部３１を中心にして、その一側部に前記第１，第２のシャッタ板４１，４２がスライドするシャッタスライド面（シャッタスライドエリア）５が設けられ、他側部にインデックスカード等のラベル貼着面（ラベル貼着エリア）６が設けられている。前記第１，第２のシャッタ板４１，４２は、後に詳しく説明するスライド部材７に取り付けられている。  前記スライド部材７は、ガイド機構８により前記シェル３にスライド可能に取付けられている。
【００２６】
図１０に示すように、前記第１，第２のシャッタ板４１，４２は、前記開口部３１を完全に閉塞できるように前記開口部３１よりも若干大き目の幅Ｗ１と長さＬ１の長方形状に形成されたシャッタ本体部４３と、該シャッタ本体部４３の長さ方向の一端部に設けられたスライド部材取付部４４とを備えている。
【００２７】
前記スライド部材取付部４４の中央部には、シャッタ開放部材係合部９が設けられている。
【００２８】
そして、前記カートリッジ１が第２のドライブ装置４０１の所定の位置まで挿入されると、図５、図６に示したように、第２のドライブ装置４０１のシャッタ開放部材４０２のシャッタ係合ピン４０３が前記カートリッジ１のシャッタ開放部材係合部９に係合する。前記カートリッジ１が更に第２のドライブ装置４０１に挿入されると、図７に示したように、前記シャッタ開放部材４０２が回動して、前記第２のシャッタ板４２がスライドして、図８に示したように、前記カートリッジ１の裏面側（下ハーフ３３側）の開口部３１のみが開放されるようになっている。
【００２９】
また、シェル３の前端部には第１，第２の誤挿入阻止部３８，３９が設けられている。前記第１の誤挿入阻止部３８は、上ハーフ３２に設けられ、前記第２の誤挿入阻止部３９は、下ハーフ３３に設けられている。
【００３０】
そして、前記カートリッジ１が前記第１のドライブ装置３０１の所定の位置まで挿入されると、図９に示したように、第１のドライブ装置３０１の第１，第２シャッタ開放部材３０２，３０３のシャッタ係合ピン３０４が前記カートリッジ１の第１，第２の誤挿入阻止部３８，３９に係合して、前記カートリッジ１が更に第１のドライブ装置３０１に挿入されるのを阻止するようになっている。
【００３１】
（２）ディスクの構成
図１０に示したように、前記ディスク２は、円盤状の記録媒体本体部２１と、該記録媒体本体部２１の中央部に設けられたセンターハブ２２を有している。
【００３２】
前記記録媒体本体部２１は、例えば図１１に示したように、ポリカーボネート（ＰＣ）の基板２３の内面に記録層２４を設け、外面に保護層２５を設けた第１，第２の成膜済基板の記録媒体２６，２７を重ね合わせて接着層２８で接着することにより形成されている。前記ディスク２は、センターハブ２３が前記第２のドライブ装置４０１のターンテーブル４０４にチャッキングされ、第１の記録媒体２６の記録層２４にドライブ装置の光学ピックアップ４０５によって記録及び／又は再生が可能になると共に、前記ディスク２を裏返すことにより、前記光学ピックアップ４０５により、前記第２の記録媒体２７の記録層２４への記録及び／又は再生が可能になる。前記記録媒体本体部２１は、数ＧＢ〜４０ＧＢ（ギガバイト）の高容量に形成されている。
【００３３】
前記センターハブ２２は、前記ディスク２の第１の記録媒体２６の記録層２４に記録及び／又は再生する場合は勿論のこと、前記ディスク２を裏返して装着し、前記第２の記録媒体２７の記録層２４に記録及び／又は再生を行う場合でも前記ディスク２を前記第２のドライブ装置４０１のターンテーブル４０４に確実にチャッキングできる構成になっている。
【００３４】
（３）シェルの構成
図１０に示したように、前記シェル３は、幅方向（シャッタスライド方向）の中央部に前記開口部３１を設けた上ハーフ３２と下ハーフ３３の前、後、左、右の周壁３４ａ，３４ｂ，３４ｃ，３４ｄ相互を突き合わせて複数のビス３５で結合することにより形成されている。前記ビス３５の頭部が見えるのが裏面側である。
【００３５】
前記シェル３は、上，下ハーフ３２，３３の前後周壁３４ａの内側がディスク収納部３６になっていると共に、前記上，下ハーフ３２，３３の前周壁３４ａの外側がスライド部材組付部３７になっている。
【００３６】
そして、前記ディスク収納部３６内に収納されたディスク２の記録媒体本体部２１の表，裏面及びセンターハブ２２の表，裏面が前記上，下ハーフ３２，３３の開口部３１に臨むようになっている。
【００３７】
前記シェル３の前端部には第１，第２の誤挿入阻止部３８，３９が設けられている。前記第１の誤挿入阻止部３８は、上ハーフ３２に設けられ、前記第２の誤挿入阻止部３９は、下ハーフ３３に設けられている。前記第１，第２の誤挿入阻止部３８，３９は、前記シェル３の幅方向の中央を中心にして対称位置に設けられている。
【００３８】
前記上，下ハーフ３２，３３の外面には、シャッタスライド面５とラベル貼着面６が設けられている。前記シャッタスライド面５は、前記上，下ハーフ３２，３３の外面から前記第１，第２のシャッタ板４１，４２の略肉厚ぶんだけ低い位置に形成されていて、前記第１，第２のシャッタ板４１，４２を重ね合わせたときに、前記上，下ハーフ３２，３３の外面と前記第１，第２のシャッタ板４１，４２の外面とが略面一及びもしくは若干低くなるようになっている。また、前記シャッタスライド面５の上，下ハーフ３２，３３の後周壁３４ｂ側の端部は、更に一段低いシャッタ端部挿入部５１になっている。そして、図１２に示したように、前記シャッタ端部挿入部５１に前記第１，第２のシャッタ板４１，４２の端部４５が挿入されていて、前記端部４５は、前記シャッタ端部挿入部５１内に取付けられたスライドガイド板５２によって前記上，下ハーフ３２，３３の外面から浮き上がる（捲れ上がる）のを防止されて、前記第１，第２のシャッタ板４１，４２は円滑なスライドを保証されるようになっている。
【００３９】
また、前記ラベル貼着面６は、前記上，下ハーフ３２，３３の外面から貼着ラベルの略肉厚ぶんだけ低くなった位置に形成されていて、図１３に示したように前記シート貼着面６に２点鎖線で示す貼着ラベル６２を貼着したときに、前記上，下ハーフ３２，３３の外面と前記貼着ラベル６２の外面とが略面一及びもしくは若干低くなる。
【００４０】
前記シェル３は、成形性及び機械的強度に優れた合成樹脂、例えばポリカーボネート（ＰＣ）やＡＢＳ樹脂等により形成されている。
【００４１】
（４）シャッタの構成
図１５に示したように、前記シャッタ４は、前記上ハーフ３２の開口部３１を開閉する第１のシャッタ板４１と、下ハーフ３３の開口部３１を開閉する第２のシャッタ板４２とに分割されている。
【００４２】
前記第１，第２のシャッタ板４１，４２は、前記開口部３１よりも若干大き目の幅Ｗと長さＬの長方形状に形成されたシャッタ本体部４３と、該シャッタ本体部４３の長さ方向の一端部に設けられたスライド部材取付部４４を備えている。前記スライド部材取付部４４は、前記シャッタ本体部４３の一端部に略直角に連続する第１折曲部４５と、該第１折曲部４５の先端に前記シャッタ本体部４３と重なり合う方向に略直角に連続する第２折曲部４５とで構成されている。また、前記シャッタ本体部４３の長さ方向の他端部には、前記上，下ハーフ３２，３３のシャッタスライド面５の一端部のシャッタ端部挿入部５１に挿入される被挿入側の端部４５が設けられている。
【００４３】
前記スライド部材取付部４４の中央部には、次に説明するスライド部材側の係合部７３ａ（図１６参照）と共に、前記シャッタ開放部材係合部９を構成するシャッタ側の係合部４４ａが設けられている。
【００４４】
前記スライド部材取付部４４の係合部４４ａの両側部には、これら両側部をビス止めする際に、ビス１０の頭部１０ａを導入するビス受け用の凹部４４ｂ，４４ｃが設けられている。前記凹部４４ｂ，４４ｃの中央部にはビス穴４４ｄが設けられている。
【００４５】
また、前記被挿入側の端部４５は、前記シャッタ本体部４３に対して段差Ｈをもたせた状態に形成されていて、前記スライドガイド板５２の下方のシャッタ端部挿入部５１内に挿入されるようになっている。
【００４６】
前記第１，第２のシャッタ板４１，４２は、所定の形状に打ち抜いたステンレススチールやアルミニウム等の金属板を折り曲げることにより或は合成樹脂等により形成されている。なお、本実施例では、前記第１，第２のシャッタ板４１，４２は、同一部材を使用しているが、例えば、被挿入側の端部４５の形状を変えて、意図的に別部材としてもよい。
【００４７】
（５）スライド部材の構成
図１６，図１７に示したように、前記スライド部材７は、前記第１のシャッタ板４１を前記シェル３にスライド可能に取付ける第１のスライド部７１と、前記第２のシャッタ板４２を前記シェル３にスライド可能に取付ける第２のスライド部７２とに分割されている。
【００４８】
前記第１，第２のスライド部７１，７２は、前記第１のシャッタ板４１又は第２のシャッタ板４２のいずれか一方を取付けるシャッタ板取付部７３と、該シャッタ板取付部７３の底部の一側部に、該シャッタ板取付部７３の幅と略同じ幅で、かつ前記シャッタ板取付部７３の長さの略半分の長さに形成されていて、他方のスライド部材のシャッタ板取付部７３が載置されるステージ部７４と、前記シャッタ板取付部７３のスライド方向の一端側の上面に設けられていて、他方のスライド部材のシャッタ板取付部７３の先端が当接するストッパー部７５と、前記シャッタ板取付部７３のスライド方向の一端部（前記ストッパー部７５）の下面に設けられた第１の脚部７６と、前記シャッタ板取付部７３の中央部の下面に設けられた第２の脚部７７と、前記第１，第２のスライド部７１，７２の第１の脚部７６，７６間に設けられたばね係止部７８とを備えている。
【００４９】
前記シャッタ板取付部７３は、前記第１，第２のシャッタ板４１，４２のスライド部材取付部４４を重ね合わせたときに、前記スライド部材取付部４４の中央部に設けたシャッタ開放部材係合部４４ａの下方に重なるスライド部材側の係合部７３ａを備えている。前記スライド部材側の係合部７３ａは、底部７３ｆを備えた有底状に形成されている。
【００５０】
図１８に示したように、前記シャッタ側の係合部４４ａは、スライド部材側の係合部７３ａよりも僅かに大きく、換言すれば、前記スライド部材側の係合部７３ａは、前記シャッタ側の係合部４４ａよりも僅かに小さく形成されていて、前記ドライブ装置３０１のシャッタ開放部材３０２のシャッタ係合ピン３０３は、前記シャッタ開放部材係合部９のスライド部材側の係合部７３ａにのみ係合するようになっている。
【００５１】
図１６，図１７に示したように、前記スライド部材側の係合部７３ａの両側部には、前記第１，第２のシャッタ板４１，４２のスライド部材取付部４４を重ね合わせたときに、前記スライド部材取付部４４のビス受け用の凹部４４ｂ，４４ｃが嵌合する凹部７３ｂ，７３ｃが設けられている。前記凹部７３ｂ，７３ｃの中央部にはビス穴７３ｄが設けられている。
【００５２】
前記第１，第２のスライド部７１，７２は、同形、同大に形成されていて、第１のスライド部７１のシャッタ板取付部７３を第２のスライド部７２のステージ部７４上に載置すると共に、前記第２のスライド部７２のシャッタ板取付部７３を第１のスライド部７１のステージ部７４上に載置し、前記第１，第２のスライド部７１，７２に設けたばね係止部７８に、ばね部材（コイルスプリング）８０の一端部と他端部がそれぞれ係止されている。
【００５３】
前記第１，第２のスライド部７１，７２は、前記ばね部材８０により互に牽引されて、前記第１のスライド部７１のシャッタ板取付部７３の先端が前記第２のスライド部７２のシャッタ開放部材係合部７５に当接し、前記第２のスライド部７２のシャッタ板取付部７３の先端が前記第１のスライド部７１のシャッタ開放部材係合部７５に当接して、図１６に示したように、前記第１，第２のスライド部７１，７２は、互に結合された状態になる。
【００５４】
前記シャッタ板取付部７３の先端とシャッタ開放部材係合部７５の当接部には、互に嵌まり合う凸部８１と凹部８２が設けられていて、これら凸部８１と凹部８２の嵌合により、結合状態における前記第１，第２のスライド部７１，７２の位置ズレ（浮き上がり）を防止するようになっている。前記第１，第２の脚部７６，７７の間は、ばね部材８０の収納空間になっている。
【００５５】
前記ばね係止部７８は、図１９に示したように、前記第１の脚部７６の外側面よりも内側に形成されていて、ばね部材８０が前記第１，第２のシャッタ板取付部７３の下面内に収まる状態で取付けられるようになっている。
【００５６】
前記ばね部材８０によって結合された第１，第２のスライド部７１，７２の底面の中央部の第２の脚部７７，７７間には、前記第１，第２ガイド部１１，１２の中央部に設けた位置決め突起１９が挿入される隙間８５が設けられている。
【００５７】
前記第１，第２のスライド部７１，７２は、潤滑性や耐磨耗性等に優れたポリカーボネートやポリアセタール或はポリプロピレン等の合成樹脂で形成されていて、前記第１〜第４ガイド部１１〜１４に沿って円滑にスライドするようになっている。前記第１，第２のスライド部７１，７２は、同形、同大であり、即ち同一部材として構成してもよいものであり、或は組立上、色分けしてもよい。
【００５８】
（６）ガイド機構の構成
ガイド機構８は、上述したように、第１，第２のシャッタ板４１，４２及びこれら第１，第２のシャッタ板４１，４２を取り付けた第１，第２のスライド部７１，７２を、前記開口部３１を閉塞する第１の位置と、前記開口部３１を開放する第２の位置との間でスライドさせるものである。
【００５９】
前記ガイド機構８は、図２１（Ａ）,（Ｂ）に示したように、前記スライド部材組付部３７の内側面の対向部に設けられた一対の凸状の第１，第２ガイド部１１，１２と、これら一対の凸状の第１，第２ガイド部１１，１２の下部に設けられた一対の凹状の第３，第４ガイド部１３，１４と、前記第１，第２のスライド部７１，７２の第１，第２の脚部７６，７７の左右の脚部の外側面に設けられていて、これら第１，第２の脚部７６，７７を前記シェル３のスライド部材組付部３７に挿入したときに、前記一対の凸状の第１，第２ガイド部１１、１２に係合する一対の凹状の第５，第６ガイド部１５，１６と、前記一対の凹状の第３，第４ガイド部１３，１４に係合する一対の凸状の第７，第８ガイド部１７，１８とで構成されている。
【００６０】
前記第１，第３ガイド部１１，１３は、前記上ハーフ３２の内側面に設けられている。前記第２，第４ガイド部１２，１４は、前記下ハーフ３３の内側面に設けられている。
【００６１】
前記第５，第７ガイド部１５，１７は、前記第１，第２の脚部７６，７７の左右の脚部のうちの一方（図２１の右方）の脚部の外側面に設けられ、前記第６，第８ガイド部１６，１８は、他方（図２１の左方）の脚部の外側面に設けられている。
【００６２】
次に、前記ガイド機構８の組み立て、つまり、前記シェル３のスライド部材組付部３７へのスライド部材７の組み付けについて説明する。
【００６３】
前記第１，第２のスライド部７１，７２を前記ばね部材８０によって結合した状態で、図２０及び図２１（Ａ）,（Ｂ）に示したように、前記第１，第２のスライド部７１，７２の第２の脚部７７，７７間の隙間８５を前記位置決め突起１９の位置に合わせて、前記第１，第２の脚部７６，７７を前記スライド部材組付部３７に挿入する。前記第１，第２の脚部７６，７７を挿入すると、図２２（Ａ）,（Ｂ）に示したように、前記第７，第８ガイド部１７，１８の下端外側の傾斜面１７ａ，１８ａが前記第１，第２ガイド部１１，１２の傾斜面１１ａ，１２ａに当接し、前記第１，第２の脚部７６，７７の左右の脚部は、内側に弾性変形する。
【００６４】
前記第６，第８ガイド部１６，１８が前記第１，第２ガイド部１１，１２を乗り越えると、前記第１，第２の脚部７６，７７の左右の脚部は、弾性復帰して、図２３（Ａ）,（Ｂ）に示したように、前記シェル３のスライド部材組付部３７の内側面に設けられた第１〜第４ガイド部１１〜１４と、前記第１，第２の脚部７６，７７の外側面に設けられた第５〜第８ガイド部１５〜１８とが自ずと係合すると共に、図２４に示したように、前記第１，第２のスライド部７１，７２の第２の脚部７７，７７間の隙間８５に、前記第１，第２ガイド部１１，１２の中央部に設けた位置決め突起１９が侵入して、前記第１，第２のスライド部７１，７２は、前記第１，第２のシャッタ板４１，４２で前記上，下ハーフ３２，３３の開口部３１を閉塞する第１の位置にセットされる。前記第１のスライド部７１は、前記位置決め突起１９によって、上ハーフ３２の開口部３１を開閉する方向へのスライドのみが許容される。また、前記第２のスライド部７２は、前記位置決め突起１９によって、下ハーフ３３の開口部３１を開閉する方向へのスライドのみが許容される。
【００６５】
次に、前記スライド部材へのシャッタへの組み付けについて説明する。図２５，図２６に示したように、前記第１，第２のシャッタ板４１，４２のスライド部材取付部４４を、前記第１，第２のスライド部７１，７２のシャッタ板取付部７３内に挿入すると、前記第１，第２のシャッタ板４１，４２のスライド部材取付部４４の中央部に設けたシャッタ側の係合部４４ａと、前記第１，第２のスライド部７１，７２のシャッタ板取付部７３に設けたスライド部材側の係合部７３ａとが重なり合うと共に、前記第１，第２のシャッタ板４１，４２のスライド部材取付部４４のビス受け用の凹部４４ｂ，４４ｃが前記第１，第２のスライド部７１，７２のシャッタ板取付部７３の凹部７３ｂ，７３ｃに嵌合する。  次に、図２７に示したように、前記第１，第２のシャッタ板４１，４２のスライド部材取付部４４のビス受け用の凹部４４ｂ，４４ｃの中央部に設けたビス穴４４ｄを通してビス１０を前記第１，第２のスライド部７１，７２のシャッタ板取付部７３の凹部７３ｂ，７３ｃのビス穴７３ｄに螺着することにより、前記第１，第２のシャッタ板４１，４２は、前記第１，第２のスライド部７１，７２のシャッタ板取付部７３に取り付けられる。
【００６６】
（７）作用
第１，第２のシャッター板４１，４２が第１の位置にあるとき、これら第１，第２のシャッター板４１，４２は、前記上，下ハーフ３２，３３のシャッタースライド面５に設けられている開口部３１を閉塞している。
【００６７】
そして、図１に示したように、前記上ハーフ３２を上にし、下ハーフ３３を下にした姿勢（以下、正規の姿勢という）で前記カートリッジ１を図５に示したように、第２のドライブ装置４０１の所定の位置まで挿入すると、図６に示したように、前記第２のドライブ装置４０１に設けたシャッター開放部材４０２のシャッター係合ピン４０３が、前記第２のスライド部７２のシャッター開放部材係合部９、詳しくは、前記スライド部材側の係合部７３ａに係合する。
【００６８】
前記第２のスライド部７２のスライド部材側の係合部７３ａと、その上方に位置する第１のスライド部７１のスライド部材側の係合部７３ａとは互いに底部７３ｆによって仕切られた状態になっているため、前記第２のドライブ装置４０１に設けたシャッター開放部材４０２のシャッター係合ピン４０３が、前記第１のスライド部７１のシャッター開放部材係合部９に係合することは阻止される。
【００６９】
前記カートリッジ１を更に第２のドライブ装置４０１に挿入すると、図７に示したように、シャッター開放部材４０２が回動して、前記第２のスライド部７２が矢印Ｂ方向にスライドし、図８に裏返して示したように、前記第２のスライド部７２に取付けられている第２のシャッター板４２を前記下ハーフ３３の開口部３１を開放する第２の位置にスライドさせる。
【００７０】
そして、前記第２のシャッター板４２が第１の位置にスライドしたのち、前記下ハーフ３３の開口部３１を介して、図１１に示したように、前記ディスク２のセンターハブ２２は第２のドライブ装置４０１のターンテーブル４０４にチャッキングされて回転されると共に、光学ピックアップ４０５により、前記ディスク２の第１の記録媒体２６の記録層２４への記録及び／又は再生が行われる。
【００７１】
また、図２に示したように、下ハーフ３３を上にし、上ハーフ３２を下にした姿勢（以下、逆の姿勢という）で前記カートリッジ１を第２のドライブ装置４０１に挿入すると、前記第２のドライブ装置４０１に設けたシャッター開放部材４０２のシャッター係合ピン４０３が、前記第１のスライド部７２のシャッター開放部材係合部９に係合して、前記第１のスライド部７１が前記ガイド機構８によって矢印Ｂ方向にスライドし、図４に裏返して示したように、前記第１のスライド部７１に取付けられている第１のシャッター板４１を前記上ハーフ３２の開口部３１を開放する第２の位置にスライドさせる。
【００７２】
そして、前記第１のシャッター板４１が第１の位置にスライドしたのち、図１１に示したように、前記上ハーフ３２の開口部３１を介して、前記ディスク２のセンターハブ２２は、第２のドライブ装置４０１のターンテーブル４０４にチャッキングされて回転されると共に、光学ピックアップ４０５により、前記ディスク２の第２の記録媒体２７の記録層２４への記録及び／又は再生が行われる。
【００７３】
前記正規の姿勢での記録及び／又は再生を行う場合も逆の姿勢で記録及び／又は再生を行う場合も記録及び／又は再生に直接関与しない他方（上方）の開口部３１は閉じられた状態に維持されるので、該他方の開口部３１からシェル３内に塵埃等が侵入して、ディスク１の表面に付着することが防止される。
【００７４】
また、図９に示したように、前記カートリッジ１が記録方式を異にするカートリッジ用の第１のドライブ装置３０１に挿入されると、前記第１のドライブ装置３０１の第１，第２のシャッター開放部材３０２，３０３の係合ピン３０４が前記第１，第２の誤挿入阻止部３８，３９に係合して、前記第１，第２のシャッター開放部材３０２は回動不可能にロックされた状態になって、前記カートリッジ１が更に前記第１のドライブ装置３０１に挿入されるのを阻止するのである。
【００７５】
【発明の効果】
本発明の情報記録媒体カートリッジには次に述べるような効果がある。
【００７６】
（１）第１の記録及び／又は再生装置に挿入すると該第１の記録及び／又は再生装置のシャッター開放部材が第１，第２のスライド部のシャッター開放部材係合部に係合して、第１，第２のシャッター板を前記開口部を開放する方向にスライドさせる。また、記録及び／又は再生方式を異にする第２の記録及び／又は再生装置に挿入すると該第２の記録及び／又は再生装置のシャッター開放部材が係合して、該シャッター開放部材により更なる挿入を阻止される。特に、誤挿入阻止部を、シャッターを閉じた状態における前記開放部材係合部の位置を中心にしてカートリッジケースの前端部の表面と裏面の点対称位置に設けたので、情報記録媒体カートリッジを正規の姿勢で、ディスクへの記録及び／又は再生方式を異にする第２の記録及び／又は再生装置に挿入した場合でも、或は、情報記録媒体カートリッジを裏返した状態で、前記第２の記録及び／又は再生装置に挿入した場合でも、該第２の記録及び／又は再生装置のシャッター開放部材が係合して、該シャッター開放部材により更なる挿入を阻止される。
【００７７】
（２）シャッター開放部材係合部を第１，第２のスライド部の中央部に設けたので、第１の記録及び／又は再生装置に設けられた単一のシャッター開放部材で第１，第２のシャッター板を開閉方向に移動させることができる。
【図面の簡単な説明】
【図１】カートリッジを表面側から見た斜視図（シャッター閉状態）。
【図２】カートリッジを裏面側から見た斜視図（シャッター閉状態）。
【図３】カートリッジを表面側から見た斜視図（シャッター開状態）。
【図４】カートリッジを裏面側から見た斜視図（シャッター開状態）。
【図５】カートリッジを第２のドライブ装置に挿入した状態の平面図。
【図６】図５のａ−ａ断面図。
【図７】シャッター開放部材が回動した状態の平面図。
【図８】カートリッジを裏返した状態の平面図。
【図９】カートリッジを第１のドライブ装置に挿入した状態の平面図。
【図１０】カートリッジの分解斜視図。
【図１１】ディスクの断面図。
【図１２】図１のｂ−ｂ断面図。
【図１３】図１のｃ−ｃ断面図。
【図１４】シェルの前周壁側の断面図。
【図１５】第１，第２のシャッター板の斜視図。
【図１６】スライド部材の斜視図。
【図１７】スライド部材の分解斜視図。
【図１８】シャッター開放部材係合部の拡大斜視図。
【図１９】スライド部材の底面図。
【図２０】シェルを組立てた状態の斜視図。
【図２１】（Ａ）は第１の脚部の組付工程図、（Ｂ）は第２の脚部の組付工程図。
【図２２】（Ａ）は第１の脚部の組付工程図、（Ｂ）は第２の脚部の組付工程図。
【図２３】（Ａ）は第１の脚部の組付工程図、（Ｂ）は第２の脚部の組付工程図。
【図２４】スライド部材が組み付けられた状態の要部の平面図。
【図２５】シャッターの組付工程図。
【図２６】シャッターの組付工程図。
【図２７】シャッターの組付工程図。
【図２８】従来のシャッタ一体型カートリッジの実施例の斜視図。
【図２９】使用状態の断面図。
【図３０】従来のシャッタ一体型カートリッジと第１のドライブ装置の関係を示す平面図。
【図３１】従来のシャッタ一体型カートリッジと第１のドライブ装置の関係を示す平面図。
【図３２】従来のシャッタ分割型カートリッジの表面側の斜視図。
【図３３】従来のシャッタ分割型カートリッジの裏面側の斜視図。
【図３４】従来のシャッタ分割型カートリッジと第２のドライブ装置の関係を示す平面図。
【図３５】従来のシャッタ分割型カートリッジと第２のドライブ装置の関係を示す平面図。
【符号の説明】
１…カートリッジ、２…ディスク、３…シェル、４…シャッター、５…シャッタースライド面、７…スライド部材、９…シャッター開放部材係合部、３１…開口部、３８，３９…第１，第２の誤挿入阻止部、４１，４２…第１，第２のシャッター板、４３…シャッター本体部、４４…スライド部材取付部、４４ａ…シャッター側の係合部、７１，７２…第１，第２のスライド部、７３…シャッター板取付部、７３ａ…スライド部側の係合部。
【図１】
0003729110.tif 000002
【図２】
0003729110.tif 000003
【図３】
0003729110.tif 000004
【図４】
0003729110.tif 000005
【図５】
0003729110.tif 000006
【図６】
0003729110.tif 000007
【図７】
0003729110.tif 000008
【図８】
0003729110.tif 000009
【図９】
0003729110.tif 000010
【図１０】
0003729110.tif 000011
【図１１】
0003729110.tif 000012
【図１２】
0003729110.tif 000013
【図１３】
0003729110.tif 000014
【図１４】
0003729110.tif 000015
【図１５】
0003729110.tif 000016
【図１６】
0003729110.tif 000017
【図１７】
0003729110.tif 000018
【図１８】
0003729110.tif 000019
【図１９】
0003729110.tif 000020
【図２０】
0003729110.tif 000021
【図２１】
0003729110.tif 000022
【図２２】
0003729110.tif 000023
【図２３】
0003729110.tif 000024
【図２４】
0003729110.tif 000025
【図２５】
0003729110.tif 000026
【図２６】
0003729110.tif 000027
【図２７】
0003729110.tif 000028
【図２８】
0003729110.tif 000029
【図２９】
0003729110.tif 000030
【図３０】
0003729110.tif 000031
【図３１】
0003729110.tif 000032
【図３２】
0003729110.tif 000033
【図３３】
0003729110.tif 000034
【図３４】
0003729110.tif 000035
【図３５】
0003729110.tif 000036